(57)【要約】      （修正有）【課題】２次電池を有する携帯機器において、携帯機器の動作切り替え用スイッチを廃止する。【解決手段】２次電池を有する携帯機器において、２次電池の電圧を検出する電池電圧検出手段、電池電圧検出手段により検出された電池電圧が入力される入力手段、入力手段に入力された電池電圧を所定時間毎に順次記憶する記憶手段、記憶手段に記憶された電池電圧に基づいて予め定められた条件に従い所定時間毎に携帯機器の動作モードを設定するモード設定手段を備えることにより、充電電圧を監視することにより携帯機器の外部にスイッチを設けることなく、携帯機器の動作モードを切り替える。【選択図】図２
2010161909.tif 000002
【特許請求の範囲】
【請求項１】
２次電池、該２次電池を充電する充電手段、携帯機器を制御する制御手段、からなる携帯機器において、
前記充電手段は、前記２次電池の電圧検出する電池電圧検出手段、を備え、
前記制御手段は、前記電池電圧検出手段により検出された電池電圧が入力される入力手段、該入力手段に入力された電池電圧を所定時間毎に順次記憶する記憶手段、該記憶手段に記憶された電池電圧に基づいて予め定められた条件に従い所定時間毎に携帯機器の動作モードを設定するモード設定手段、を備えることを特徴とする携帯機器。
【請求項２】
請求項１に記載の携帯機器であって、
前記モード設定手段は、前記２次電池を充電する充電モード、前記携帯機器を使用可能な状態とする起動モード、前記携帯機器のモード設定手段を除く機能を停止させる停止モード、のいずれかのモードを設定することを特徴とする携帯機器。
【発明の詳細な説明】
【技術分野】
【０００１】
本発明は、２次電池およびその２次電池を充電する機能を有する携帯機器に関するものである。
【背景技術】
【０００２】
従来、２次電池およびその２次電池を充電する機能を有する携帯機器において、携帯機器は起動スイッチや停止スイッチ等を備え、これらのスイッチにより携帯機器の動作モードを切り替えていた。
一方、特許文献１には、携帯機器の充電動作中に、中央処理部での動作を低減させるように携帯機器の動作を切り替える技術が記載されている。
【先行技術文献】
【特許文献】
【０００３】
【特許文献１】特開２００５−２６９７２９号公報
【発明の概要】
【発明が解決しようとする課題】
【０００４】
近年、携帯機器の大幅な小型化が要求されるようになり、機構部分を有するスイッチが小型化の大きな阻害要因となっている。
また、携帯機器を用いる作業環境によっては、高い防塵、防滴性能を求めらる場合がある。係る場合にスイッチ部は可動部分を有するため、防塵、防滴性能を高めるために構成部品が多くなり、多くの空間やコストが必要となる。
【０００５】
上記課題に鑑み、本願発明は、充電時に発生する充電電圧を時間とともに監視し、その状態に応じて動作モードを切り替え、携帯機器の動作切替用スイッチを廃止することを目的とする。
【課題を解決するための手段】
【０００６】
上記課題を解決するために、請求項１に記載の携帯機器によれば、２次電池、該２次電池を充電する充電手段、携帯機器を制御する制御手段、からなる携帯機器において、前記充電手段は、前記２次電池の電圧検出する電池電圧検出手段、を備え、前記制御手段は、前記電池電圧検出手段により検出された電池電圧が入力される入力手段、該入力手段に入力された電池電圧を所定時間毎に順次記憶する記憶手段、該記憶手段に記憶された電池電圧に基づいて予め定められた条件に従い所定時間毎に携帯機器の動作モードを設定するモード設定手段、を備えることを特徴とする携帯機器。
【０００７】
また、請求項２に記載の携帯機器によれば、請求項１に記載の携帯機器であって、前記モード設定手段は、前記２次電池を充電する充電モード、前記携帯機器を使用可能な状態とする起動モード、前記携帯機器のモード設定手段を除く機能を停止させる停止モード、のいずれかのモードを設定することを特徴とする携帯機器。
【発明の効果】
【０００８】
本発明によれば、２次電池を有する携帯機器において、充電電圧を監視することにより携帯機器の外部にスイッチを設けることなく、携帯機器の動作モードの切り替えが可能となる。
【図面の簡単な説明】
【０００９】
【図１】第１の実施形態に係る２次電池を有する携帯機器の構成図である。
【図２】第１の実施形態に係る携帯機器のモード切り替え動作を示すフローチャートである。
【発明を実施するための形態】
【００１０】
本発明の第１の実施形態について、 図１および図２を用いて説明する。
図１は本発明の第１の実施形態に係る２次電池を有する携帯機器の構成図である。
図１において１００はマイコンで本機器の制御を行っている。マイコン１００はＣＰＵ１０１、ＲＯＭ１０２、ＲＡＭ１０３、ＡＤコンバータ１０４、タイマ１０５、クロック１０６、ＩＯ１０７を有する。２００は２次電池で、マイコン１００への電源供給を行う。４００は周辺回路で、マイコン１００のＩＯ１０７により接続されており、ＬＥＤ４０１およびセンサ４０２を有する。３００は２次電池２００用の充電回路、５００は専用の充電器であり、本機器を充電器５００に載せることにより、電磁誘導によりコイル３０１に起電力が発生する。３０２はコイル３０１との共振をとるためのコンデンサ、３０３はコイル３０１に発生する交流電圧を整流するダイオードである。３０５は２次電池２００への充電電圧を制御するレギュレータで、３０４、３０６は夫々３０５の入力コンデンサおよび出力コンデンサである。３０９は充電電流の制限抵抗、３１０は放電防止用ダイオードである。３０８、３０９は充電電圧を分圧してマイコン１００内のＡＤコンバータ１０４に入力するための分圧抵抗である。
【００１１】
図２は本発明実施例のモード切り替え動作を示すフローチャートである。本機器の動作モードは充電モード、停止モード、起動モードの３つが存在する。ここで、充電モードとは、２次電池２００を充電するための動作モードである。起動モードとは、携帯機器が通常の使用可能な状態となるように起動し、起動完了後は使用可能な状態を維持するための動作モードである。停止モードとは、携帯機器の機能がモードの切り替え動作を除き停止している状態である。
【００１２】
モードの切り替え動作は、一定の時間毎（例えば２秒毎）に実行する。まず、Ｓ２０１で充電電圧をマイコン１００のＡＤコンバータ１０４にて測定する。この電圧は本機器が充電器５００に載っている時にのみ発生する。次に、現在のモードに応じて処理が分岐する。なお、ＡＤコンバータ１０４にて測定された充電電圧は、マイコン１００のＲＡＭ１０３に順次記憶され、現在および過去の所定回数分（例えば、２回分）の充電電圧を記憶している。
【００１３】
まず、現在のモードが充電モードの場合について説明する。
Ｓ２０２にてモードが充電モードか確認する。充電モードなので、Ｓ２０３に進み、Ｓ２０１で測定した充電電圧の有無を確認する。充電電圧が「有り」の場合、Ｓ２０４にて充電モードを再度設定して終了する。
Ｓ２０３にて充電電圧が「無し」の場合は、Ｓ２０５に進み、ＲＡＭ１０３に記憶されている前回（２秒前）の充電電圧を確認する。前回の充電電圧が「有り」の場合には、Ｓ２０４に進み充電モードを設定して終了する。前回の充電電圧が「無し」の場合には、Ｓ２１３に進み起動モードを設定して終了する。つまり、充電電圧が「２回連続無し」の場合に起動モードに切り替わり、それ以外の場合に充電モードを維持することとなる。
【００１４】
次に、現在のモードが起動モードの場合について説明する。
Ｓ２０２にて充電モードか確認し、充電モードではないのでＳ２１０に進む。Ｓ２１０にて起動モードか確認する。起動モードなので、Ｓ２１１に進み、Ｓ２０１で測定した充電電圧の有無を確認する。
Ｓ２１１にて充電電圧が「有り」の場合は、Ｓ２１２に進み、ＲＡＭ１０３に記憶されている前回（２秒前）および前々回（４秒前）の充電電圧を確認する。前回および前々回の充電電圧のいずれも「有り」の場合には、Ｓ２０４に進み充電モードを設定して終了する。前回および前々回の充電電圧のいずれか一方が「無し」の場合には、Ｓ２１３に進み起動モードを設定して終了する。つまり、充電電圧が「３回連続有り」の場合に充電モードに切り替わることとなる。
【００１５】
Ｓ２１１にて充電電圧が「無し」の場合は、Ｓ２１４に進み、ＲＡＭ１０３に記憶されている前回（２秒前）および前々回（４秒前）の充電電圧を確認する。前回および前々回の充電電圧のいずれか一方のみが「有り」の場合には、Ｓ２１３に進み起動モードを設定して終了する。前回および前々回の充電電圧のいずれも「有り」の場合には、Ｓ２２１に進み起動モードを設定して終了する。つまり、充電電圧が今回は「無し」であって前回および前々回が共に「有り」の場合に停止モードに切り替わることとなる。
【００１６】
次に現在のモードが停止モードの場合について説明する。
Ｓ２０２にて充電モードか確認し、充電モードではないのでＳ２１０に進む。Ｓ２１０にて起動モードか確認し、起動モードではないのでＳ２２０に進む。Ｓ２２０にて、Ｓ２０１で測定した充電電圧の有無を確認する。
Ｓ２２０にて充電電圧が「無し」の場合は、Ｓ２２１に進み、停止モードを設定して終了する。
【００１７】
Ｓ２２０にて充電電圧が「有り」の場合は、Ｓ２２２に進み、ＲＡＭ１０３に記憶されている前回（２秒前）および前々回の充電電圧を確認する。前回および前々回の充電電圧のいずれも「有り」の場合には、Ｓ２０４に進み充電モードを設定して終了する。前回および前々回の充電電圧のいずれか一方が「無し」の場合には、Ｓ２２１に進み停止モードを設定して終了する。つまり、充電電圧が「３回連続有り」の場合に充電モードに切り替わることとなる。
【００１８】
以上のように、携帯機器の外部に動作モードの切り替えスイッチがなくても、携帯機器を充電器に載せるタイミングに応じて動作モードを切り替えることができる。
なお、第１の実施形態においては、Ｓ２０５，Ｓ２１２，Ｓ２１４，Ｓ２２２におけるモードの切り替え条件は、上記の説明および図２におけるフローチャートに限定されることはなく、予めマイコン１００に任意に決定した切り替え条件を設定することができる。例えば、Ｓ２１２およびＳ２２２の充電モードへの切り替え条件を、５回連続充電電圧がある場合に充電モード切り替えるように設定しても良い。
【００１９】
さらに、ＬＥＤ４０１を動作モードに対応して点灯させることにより動作モードを可視化することも可能である。例えば、停止モード時は消灯、起動モード時は２秒間に１回点灯、充電モード時は２秒間に２回点灯とするということで実現できる。
【符号の説明】
【００２０】
１００  マイコン
２００  ２次電池
３００  充電回路
４００  周辺機器
５００  充電器
【図１】
2010161909.tif 000003
【図２】
2010161909.tif 000004